(57)【要約】【課題】携帯端末機で迅速かつ簡便な文字入力を可能にする特殊キーを利用した文字入力方法を提供する。【解決手段】所定の特殊キーを利用して、直前に入力された文字のアルファベット順の前又は次の文字を入力したり、直前に入力された文字を再入力することを特徴とする文字入力方法であり、一連の順序を有する文字列に対して、第１文字を入力又は指示する段階と、前記入力又は指示された第１文字と入力しようとする第２文字との文字列上の近接距離によりボタンを押す段階とから構成されることを特徴とする特殊キーを利用した文字入力方法。【選択図】図１
2006295901.tif 000002
【特許請求の範囲】
【請求項１】
一連の順序を有する文字列に対して、第１文字を入力又は指示する段階と、
前記入力又は指示された第１文字と入力しようとする第２文字との文字列上の近接距離によりボタンを押す段階と
から構成されることを特徴とする特殊キーを利用した文字入力方法。
【請求項２】
前記ボタンは、
携帯端末機の側面に位置するホットキーであることを特徴とする請求項１に記載の特殊キーを利用した文字入力方法。
【請求項３】
前記ボタンは、
逆方向キー、順方向キー、及び以前文字入力キーのうち少なくとも１つであることを特徴とする請求項１に記載の特殊キーを利用した文字入力方法。
【請求項４】
前記逆方向キーは、
直前に入力された文字のアルファベット順の前の文字を入力するキーであることを特徴とする請求項３に記載の特殊キーを利用した文字入力方法。
【請求項５】
前記逆方向キーは、
Ｎ回押されると、直前に入力された文字のアルファベット順のＮ個前の文字を入力する機能を有することを特徴とする請求項３に記載の特殊キーを利用した文字入力方法。
【請求項６】
前記逆方向キーは、
＊キーであることを特徴とする請求項３に記載の特殊キーを利用した文字入力方法。
【請求項７】
前記順方向キーは、
直前に入力された文字のアルファベット順の次の文字を入力するキーであることを特徴とする請求項３に記載の特殊キーを利用した文字入力方法。
【請求項８】
前記順方向キーは、
Ｎ回押されると、以前に入力された文字のアルファベット順のＮ個次の文字を入力する機能を有することを特徴とする請求項３に記載の特殊キーを利用した文字入力方法。
【請求項９】
前記順方向キーは、
＃キーであることを特徴とする請求項３に記載の特殊キーを利用した文字入力方法。
【請求項１０】
前記近接距離は、
前記文字列において順方向近接距離又は逆方向近接距離であることを特徴とする請求項１に記載の特殊キーを利用した文字入力方法。
【請求項１１】
前記近接距離は、
前記文字列において同一位置であることを特徴とする請求項１に記載の特殊キーを利用した文字入力方法。
【請求項１２】
前記第１文字から、入力される前記第２文字を予測する段階と、
前記第２文字から近接距離にある前記第１文字を指示する段階とをさらに含むことを特徴とする請求項１に記載の特殊キーを利用した文字入力方法。
【請求項１３】
前記第２文字は、
直前に入力された前記第１文字又は以前に入力された任意の文字であることを特徴とする請求項１２に記載の特殊キーを利用した文字入力方法。
【請求項１４】
携帯端末機で文字を入力するとき、
所定の特殊キーを利用して直前に入力又は指示された文字を再入力することを特徴とする特殊キーを利用した文字入力方法。
【請求項１５】
入力する文字が直前に入力された文字のアルファベット順の前（逆方向）の文字である場合、その近接距離によって逆方向キーを所定回数押す段階と、
入力する文字が直前に入力された文字のアルファベット順の次（順方向）の文字である場合、その近接距離によって順方向キーを所定回数押す段階と、
入力する文字が直前に入力された文字と同一文字である場合、以前文字入力キーを押す段階と
から構成されることを特徴とする特殊キーを利用した文字入力方法。
【請求項１６】
前記逆方向キーは、
＊キーに割り当てられることを特徴とする請求項１５に記載の特殊キーを利用した文字入力方法。
【請求項１７】
前記順方向キーは、
＃キーに割り当てられることを特徴とする請求項１５に記載の特殊キーを利用した文字入力方法。
【請求項１８】
入力する文字が直前に入力された文字のアルファベット順のＮ個前の文字である場合、前記逆方向キーをＮ回押す段階と、
入力する文字が直前に入力された文字のアルファベット順のＮ個次の文字である場合、前記順方向キーをＮ回押す段階とをさらに含むことを特徴とする請求項１５に記載の特殊キーを利用した文字入力方法。
【発明の詳細な説明】
【技術分野】
【０００１】
本発明は、携帯端末機に関し、特に、携帯端末機で迅速かつ簡便な文字入力を可能にする、特殊キーを利用した文字入力方法に関する。
【背景技術】
【０００２】
一般に、携帯端末機において文字を入力するためにはキーパッドの各キー（ボタン）に割り当てられた文字に従ってキーを数回押さなければならない。
【０００３】
図３は、従来の文字入力方法を説明するためのキーパッドの形態を示す図である。
【０００４】
図３に示すように、従来の携帯端末機のキーパッド１００には、０〜９までの数字キーと、０キーの左右に＊キーと＃キーがあり、文字（英文）の入力のために２〜９キーにはアルファベットが順に割り当てられている。ここで、２キーにはＡ、Ｂ、Ｃが割り当てられ、該２キーを一回押すとＡが入力され、２回押すとＢが入力され、３回押すとＣが入力される。同様に、３キーにはＤ、Ｅ、Ｆが、４キーにはＧ、Ｈ、Ｉが、５キーにはＪ、Ｋ、Ｌが、６キーにはＭ、Ｎ、Ｏが、７キーにはＰ、Ｑ、Ｒ、Ｓが、８キーにはＴ、Ｕ、Ｖが、９キーにはＷ、Ｘ、Ｙ、Ｚが、それぞれ順に割り当てられている。また、１キーには「＠」、「：」、「／」が、０キーには「．」、「，」、「？」、「！」などの頻繁に使用される特殊記号及び句読点が割り当てられている。
【０００５】
従来は、前述したように、１つのキーに多数のアルファベットが割り当てられているため、連続した文字を入力するためにユーザは１つのキーを複数回押さなければならなかった。
【０００６】
例えば、「ＳＴＵＤＥＮＴ」を入力する場合、ユーザは、７キーを４回押してＳを入力し、８キーを１回押してＴを入力する。ＵはＴと共に８キーに割り当てられているので、ユーザが前記Ｔを入力してすぐに８キーをもう１回押すと、入力されたＴがＵに変わる。従って、Ｕを入力するためにユーザは前記Ｔを入力してしばらく待つか、あるいは前記キーパッドの方向キーを押すことで、カーソルを右に移動させてから８キーを２回押す。前記Ｕを入力した後、ユーザは３キーを１回押してＤを入力し、前記Ｕの場合と同様にしばらく待つか、あるいは方向キーを押した後、３キーを２回押してＥを入力する。また、６キーを２回押してＮを入力し、８キーを１回押してＴを入力すると、「ＳＴＵＤＥＮＴ」の入力が完了する。
【０００７】
しかしながら、このような従来の文字入力方法は、１つのキーに割り当てられている連続した文字を入力するために、待機時間を置くか、方向キーを押すという煩わしさがあり、これにより、ユーザのメッセージ作成時間が長くかかるという問題があった。
【発明の開示】
【発明が解決しようとする課題】
【０００８】
本発明は、前述したような問題を解決するために提案されたもので、本発明の目的は、携帯端末機で迅速かつ簡便な文字入力を可能にする、特殊キーを利用した文字入力方法を提供することにある。
【課題を解決するための手段】
【０００９】
このような目的を達成するために、本発明に係る特殊キーを利用した文字入力方法は、所定の特殊キーを利用して、直前に入力された文字のアルファベット順の前又は次の文字を入力したり、直前に入力された文字を再入力することを特徴とする。
【００１０】
かつ、前記特殊キーは、キーパッド上のいずれか１つのキーであり、逆方向キー（以下、ＰＲＥキーと称する）、順方向キー（以下、ＰＯＳＴキーと称する）、以前文字再入力キー（以下、反復キーと称する）を含む。ここで、前記ＰＲＥキーは、直前に入力された文字のアルファベット順の前（逆方向）の文字を入力するキーであり、前記ＰＯＳＴキーは、直前に入力された文字のアルファベット順の次（順方向）の文字を入力するキーであり、前記反復キーは、直前に入力された文字やカーソルで指定された文字を再入力するキーである。
【００１１】
また、前記特殊キーは、＊キー、＃キー、及び０キーであり、前記＊キー、＃キー、０キーのうちいずれか１つはＰＲＥキーで、他の１つはＰＯＳＴキーで、さらに他の１つのキーは反復キーである。
【００１２】
また、前記特殊キーは、携帯端末機の側面などに位置したホットキー（Hotkey）である。
【００１３】
また、このような目的を達成するために、本発明に係る特殊キーを利用した文字入力方法は、入力する文字が直前に入力された文字のアルファベット順の前（逆方向）の文字であるとＰＲＥキーを押す過程と、入力する文字が直前に入力された文字のアルファベット順の次（順方向）の文字であるとＰＯＳＴキーを押す過程と、入力する文字が直前に入力された文字と同一文字であると反復キーを押す過程とから構成されることを特徴とする。
【００１４】
好ましくは、入力する文字が直前に入力された文字のアルファベット順のＮ個前の文字であると、前記ＰＲＥキーをＮ回押す過程と、入力する文字が直前に入力された文字のアルファベット順のＮ個次の文字であると前記ＰＯＳＴキーをＮ番押す過程をさらに含むことを特徴とする。
【００１５】
好ましくは、前記ＰＲＥキーは＊キーに割り当てられ、前記ＰＯＳＴキーは＃キーに各々割り当てられることを特徴とする。
【００１６】
上記目的を達成するために、本発明は、例えば、以下の手段を提供する。
（項目１）
一連の順序を有する文字列に対して、第１文字を入力又は指示する段階と、
前記入力又は指示された第１文字と入力しようとする第２文字との文字列上の近接距離によりボタンを押す段階と
から構成されることを特徴とする特殊キーを利用した文字入力方法。
（項目２）
前記ボタンは、
携帯端末機の側面に位置するホットキーであることを特徴とする項目１に記載の特殊キーを利用した文字入力方法。
（項目３）
前記ボタンは、
逆方向キー、順方向キー、及び以前文字入力キーのうち少なくとも１つであることを特徴とする項目１に記載の特殊キーを利用した文字入力方法。
（項目４）
前記逆方向キーは、
直前に入力された文字のアルファベット順の前の文字を入力するキーであることを特徴とする項目３に記載の特殊キーを利用した文字入力方法。
（項目５）
前記逆方向キーは、
Ｎ回押されると、直前に入力された文字のアルファベット順のＮ個前の文字を入力する機能を有することを特徴とする項目３に記載の特殊キーを利用した文字入力方法。
（項目６）
前記逆方向キーは、
＊キーであることを特徴とする項目３に記載の特殊キーを利用した文字入力方法。
（項目７）
前記順方向キーは、
直前に入力された文字のアルファベット順の次の文字を入力するキーであることを特徴とする項目３に記載の特殊キーを利用した文字入力方法。
（項目８）
前記順方向キーは、
Ｎ回押されると、以前に入力された文字のアルファベット順のＮ個次の文字を入力する機能を有することを特徴とする項目３に記載の特殊キーを利用した文字入力方法。
（項目９）
前記順方向キーは、
＃キーであることを特徴とする項目３に記載の特殊キーを利用した文字入力方法。
（項目１０）
前記近接距離は、
前記文字列において順方向近接距離又は逆方向近接距離であることを特徴とする項目１に記載の特殊キーを利用した文字入力方法。
（項目１１）
前記近接距離は、
前記文字列において同一位置であることを特徴とする項目１に記載の特殊キーを利用した文字入力方法。
（項目１２）
前記第１文字から、入力される前記第２文字を予測する段階と、
前記第２文字から近接距離にある前記第１文字を指示する段階とをさらに含むことを特徴とする項目１に記載の特殊キーを利用した文字入力方法。
（項目１３）
前記第２文字は、
直前に入力された前記第１文字又は以前に入力された任意の文字であることを特徴とする項目１２に記載の特殊キーを利用した文字入力方法。
（項目１４）
携帯端末機で文字を入力するとき、
所定の特殊キーを利用して直前に入力又は指示された文字を再入力することを特徴とする特殊キーを利用した文字入力方法。
（項目１５）
入力する文字が直前に入力された文字のアルファベット順の前（逆方向）の文字である場合、その近接距離によって逆方向キーを所定回数押す段階と、
入力する文字が直前に入力された文字のアルファベット順の次（順方向）の文字である場合、その近接距離によって順方向キーを所定回数押す段階と、
入力する文字が直前に入力された文字と同一文字である場合、以前文字入力キーを押す段階と
から構成されることを特徴とする特殊キーを利用した文字入力方法。
（項目１６）
前記逆方向キーは、
＊キーに割り当てられることを特徴とする項目１５に記載の特殊キーを利用した文字入力方法。
（項目１７）
前記順方向キーは、
＃キーに割り当てられることを特徴とする項目１５に記載の特殊キーを利用した文字入力方法。
（項目１８）
入力する文字が直前に入力された文字のアルファベット順のＮ個前の文字である場合、前記逆方向キーをＮ回押す段階と、
入力する文字が直前に入力された文字のアルファベット順のＮ個次の文字である場合、前記順方向キーをＮ回押す段階とをさらに含むことを特徴とする項目１５に記載の特殊キーを利用した文字入力方法。
【発明の効果】
【００１７】
本発明に係る特殊キーを利用した文字入力方法は、連続した文字列に対しては、所定の特殊キーを利用してアルファベット順の前又は次の文字を入力可能にし、重複した文字列に対しては、以前に入力された文字を再入力可能にすることで、アルファベット順に連続しているか、又は１つのキーに指定された他の文字を入力したり、以前に入力された文字を再入力する場合、カーソルを移動させたりカーソルの移動を待たずにすぐに文字を入力できるので、文字入力にかかる時間を短縮させると共に、ユーザの利便性を向上させるという効果がある。
【発明を実施するための最良の形態】
【００１８】
以下、添付図面に基づいて本発明の好ましい実施形態について説明する。
【００１９】
図１は、本発明に係る特殊キーを利用した文字入力方法の一実施形態によるキーパッドの形態を示す図である。
【００２０】
図１に示すように、携帯端末機のキーパッド２００には、図３と同様に、０〜９までの数字キーと０キーの左右側に＊キーと＃キーがあり、文字（英文）入力のために２キーにはアルファベットＡ、Ｂ、Ｃが、３キーにはＤ、Ｅ、Ｆが、４キーにはＧ、Ｈ、Ｉが、５キーにはＪ、Ｋ、Ｌが、６キーにはＭ、Ｎ、Ｏが、７キーにはＰ、Ｑ、Ｒ、Ｓが、８キーにはＴ、Ｕ、Ｖが、９キーにはＷ、Ｘ、Ｙ、Ｚがそれぞれに割り当てられている。
【００２１】
また、１キーには「＠」、「：」、「／」が、０キーには「．」、「，」、「？」、「！」などの頻繁に使用される特殊記号及び句読点が割り当てられている。
【００２２】
前記キーパッドの英文及び記号の割り当ては、本発明を説明するための一実施形態であり、それに限定されるものでない。すなわち、各数字キーに割り当てられる英文及び記号の配列を変えるか、又は１つのキーに割り当てられる英文及び記号の個数を変えることもできる。
【００２３】
例えば、文字（英文）入力のために１キーにはアルファベットＡが割り当てられ、２キーにはＥが、３キーにはＨが、４キーにはＬが、５キーにはＯが、６キーにはＳが、７キーにはＶが、８キーにはＹがそれぞれ割り当てられ、０キーには各種文章符号や特殊記号が割り当てられた場合などにも下記の方法が適用できるということを当業者であれば理解できる。
【００２４】
さらに、０キーには反復キーが、＊キーにはＰＲＥキーが、＃キーにはＰＯＳＴキーがそれぞれ割り当てられている。
【００２５】
前記反復キーは、直前に入力されたか、又はカーソルなどで指定された文字をもう一度入力する機能を有するキーである。
【００２６】
前記ＰＲＥキーは、直前に入力された文字のアルファベット順の近接距離にある前（逆方向）の文字を入力する機能を有するキーである。前記ＰＲＥキーをＮ（Ｎ＝１、２、…、Ｎ）回押すと、直前に入力された文字のアルファベット順のＮ個前の文字が入力される。
【００２７】
前記ＰＯＳＴキーは、直前に入力された文字のアルファベット順の近接距離にある次（順方向）の文字を入力する機能を有するキーである。前記ＰＯＳＴキーをＮ回押すと、直前に入力された文字のアルファベット順のＮ個次の文字が入力される。
【００２８】
例えば、Ｋを入力した後ＰＲＥキーを押すと、Ｊが入力され、Ｋを入力した後ＰＯＳＴキーを押すとＬが入力され、Ｋを入力した後反復キーを押すと、Ｋが再び入力される。
【００２９】
また、Ｐを入力した後ＰＲＥキーを２回押すとＮが入力され、Ｐを入力した後ＰＯＳＴキーを３回押すとＳが入力される。すなわち、Ｐを入力した後ＰＲＥキーを１回押すとＰのアルファベット順の１つ前の文字であるＯが入力されるが、すぐにＰＲＥキーをもう１回度押すと、前記ＯがＯのアルファベット順の１つ前の文字であるＮに変わる。ＰＯＳＴキーの場合も、方向が順方向であることを除いてはＰＲＥキーと動作原理は同一である。すなわち、Ｐを入力した後ＰＯＳＴキーを１回押すと、Ｐのアルファベット順の１つ次の文字であるＱが入力されるが、すぐにＰＯＳＴキーをもう１回押すと、前記ＱがＱのアルファベット順の１つ次の文字であるＲに変化し、すぐにＰＯＳＴキーをもう１回押すと、前記ＲがＲのアルファベット順の１つ次の文字であるＳに変わる。
【００３０】
一般に、キーパッド上の１つのキー（又はボタン）に最大４つ程の文字が割り当てられるので、前記Ｎは３を越えないことが好ましい。ここで、カーソルは現在入力された文字に位置し、該カーソルが位置する文字の前又は次の文字をＰＲＥキー又はＰＯＳＴキーを利用して入力する。
【００３１】
又は、カーソルは現在入力された文字の次に位置し、入力したい文字と最も近接した、ボタンを１回押して入力可能な文字をまず入力し、ＰＲＥキー又はＰＯＳＴキーを押すと入力したい該当文字が入力できるようにする。
【００３２】
前記カーソルの位置は、入力しようとする単語及び文章によってユーザが選択することができる。
【００３３】
また、文字入力中や文字入力の完了後、修正が必要な部分があると、カーソルを移動させてカーソルの位置にある文字を変換することも可能である。すなわち、「ＳＴＵＤＥＮＴ」を入力しようとしたが、「ＳＴＵＤＥＭＴ」と誤入力された場合、方向キーを２回押してカーソルを前方に（左に）移動させて誤入力が発生したＭ上に位置させた後、ＰＯＳＴキーを１回押すと、Ｍからアルファベット順の１つ次の文字であるＮに変わる。
【００３４】
又は、文章自動作成機能に基づいて次に入力される文字を予想し、該文字と最も近い（前又は次に最も近い）文字にカーソルが自動的に位置するようにする。このような文章自動完成機能とＰＲＥキー又はＰＯＳＴキーを利用すると、ユーザが数回のボタン入力を行わなくても速く文字を入力することができる。
【００３５】
前記文章自動作成機能は、単語内や語句と語句間などに適用できると仮定する。
【００３６】
前述したように構成されたキーパッドを利用して、ユーザは、文字を入力するとき、入力する文字が直前に入力された文字のアルファベット順の前又は次の文字であるか、又は直前に入力された文字と同一文字である場合、待機時間を置いてカーソルが動くまで待ったりカーソルを直接移動させる必要なく、各状況に応じてＰＲＥキー、ＰＯＳＴキー、又は反復キーを押せばよい。
【００３７】
図２Ａ〜図２Ｃは、本発明に係る特殊キーを利用した文字入力方法の一実施形態による英文入力画面を示す図である。
【００３８】
図２Ａに基づいて「ＳＴＵＤＥＮＴ」のうち最初の３文字である「ＳＴＵ」を入力する場合を説明すると、ユーザは、前記７キーを４回押してＳを入力し（Ａ）、Ｔが割り当てられた８キーを押すか、又は＃キー（ＰＯＳＴキー）を押すことで、直前の文字であるＳのアルファベット順の次の文字であるＴを入力する（Ｂ）。その後、ユーザはＵを入力するために＃キーを１回押す（Ｃ）。
【００３９】
従来は、Ｕを入力するために、Ｔを入力した後、カーソルが移動するまで待つか、方向キーを押してカーソルを移動させた後、８キーを２回押さなければならなかったが、本発明に係る特殊キーを利用した英文入力方法を利用すると、前記Ｕが直前に入力された文字であるＴのアルファベット順の次の文字であるので、直前の文字であるＴを入力した後、すぐに＃キーを押すとＵが入力される。
【００４０】
図２Ｂに基づいて「ＭＯＮＥＹ」のうち最初の３文字である「ＭＯＮ」を入力する場合を説明すると、ユーザは６キーを１回押してＭを入力した後（Ｄ）、＃キーを２回連続して押してＯを入力する（Ｅ）。又は前記Ｍを入力した後、＃キーを１回押すと、Ｍのアルファベット順の次の文字であるＮが入力され、すぐに６キーを１回押すと、Ｍ、Ｎ、Ｏが６キーに順に割り当てられているので、前記ＮがＯに変わる。前記Ｏが入力されると、ユーザは＊キー（ＰＲＥキー）を１回押して前記Ｏのアルファベット順の前の文字であるＮを入力する（Ｆ）。
【００４１】
図２Ｃに基づいて「ＷＥＥＰＳ」を入力する場合を説明すると、ユーザは９キーを１回押してＷを入力し、３キーを２回押してＥを入力した後（Ｇ）、０キー（反復キー）を１回押して再びＥを入力する（Ｈ）。前記Ｅを入力した後、７キーを１回押すとＰが入力され（Ｉ）、＃キー（ＰＯＳＴキー）を連続して３回押すと、前記Ｐのアルファベット順序の３つ次の文字であるＳが入力される（Ｊ）。
【００４２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４３】
携帯端末機で迅速かつ簡便な文字入力を可能にする特殊キーを利用した文字入力方法を提供する。
【００４４】
所定の特殊キーを利用して、直前に入力された文字のアルファベット順の前又は次の文字を入力したり、直前に入力された文字を再入力する。
【図面の簡単な説明】
【００４５】
【図１】本発明に係る特殊キーを利用した文字入力方法を説明するためのキーパッドの形態を示す図である。
【図２Ａ】本発明に係る特殊キーを利用した文字入力方法の一実施形態による英文入力画面を示す図である。
【図２Ｂ】本発明に係る特殊キーを利用した文字入力方法の一実施形態による英文入力画面を示す図である。
【図２Ｃ】本発明に係る特殊キーを利用した文字入力方法の一実施形態による英文入力画面を示す図である。
【図３】従来の文字入力方法を説明するためのキーパッドの形態を示す図である。
【符号の説明】
【００４６】
２００：キーパッド
【図１】
2006295901.tif 000003
【図２Ａ】
2006295901.tif 000004
【図２Ｂ】
2006295901.tif 000005
【図２Ｃ】
2006295901.tif 000006
【図３】
2006295901.tif 000007